(57)【要約】【課題】臥位排便時の臭気拡散を低減した排便パウチシステムを提供する。【解決手段】肛門部に装着する排便収納パウチの開口部縁を、仰臥者の臀部の体圧により固定される基点と外陰部下端から腰部に至る間の鼠径溝上の基点との間の張力による押圧力で鼠径溝に作成されるサイドエリアのシール２、臀部尾骨部付近が台座と接触して作成される底面エリアのシール１、及び、パウチ開口部の上縁を、外陰部の下端、又は、必要に応じて外陰部を囲んで設置する筒状物の下端等に押しあてた上面エリアのシール３によって、肛門部周辺とパウチに限局した閉鎖空間を構成し臭気拡散を低減する。【選択図】図１
2019037777.tif 000002
【特許請求の範囲】
【請求項１】
架台上に置いた臀部の肛門に相対して装着した排便収納パウチの開口部縁面を、
臥位者の臀部と架台間に矜持させて、肛門周囲の臀部側に密着シールを構成する方法。
【請求項２】
肛門に相対して装着した排便収納パウチの開口部縁面上にあって、臥位者の臀部体重圧で押圧される基点と、排便収納パウチ開口部縁で被覆された鼠径溝との間を、紐状物、もしくは開口部縁で牽引することによって、排便収納パウチに側面シールを構成する方法。
【請求項３】
紐状物又は排便収納パウチ開口部縁を固定又は係止可能としたことを特徴とする臥位排便装置の臀部架台。
【請求項４】
鼠径溝に圧接される構造物であって、紐状物又は排便収納パウチ開口部縁を固定又は係止可能としたことを特徴とする臥位排便装置。
【請求項５】
請求項４にあって、鼠径溝に圧接される構造物に肛門部洗浄用水噴出孔を有する臥位排便装置。
【請求項６】
排尿装置を組み込んで構成される構+物であって請求項４の臥位排便装置。
【請求項７】
請求項３、並びに、請求項４乃至請求項６のいずれか１項とを含んで構成される臥位排便装置。
【請求項８】
開口部縁面あるいはその被覆材に、少なくとも1cm以上の一辺と７cm以上の他辺からなる長方形を確保しうる領域があることを特徴とする排便収納パウチ。
【請求項９】
請求項８にあって、開口部に紐状物を含んで構成される排便収納パウチ。
【発明の詳細な説明】
【技術分野】
【０００１】
本発明は、臥位者用の排便収納パウチに関し、特に、開口部の可撓性縁面と肛門部周囲の密着技術に関わる。
【背景技術】
【０００２】
臥位の排便処理技術に、介護おしめ、自動排泄ロボット、差込み便座、パウチ式排便収納具がある。
パウチ式排便収納具は、パウチの閉鎖空間に便臭を密閉させようとするもので、開口部を押圧や粘着によって肛門部に密着させる。
特許文献６、非特許文献１では、粘着による密着方法が、特許文献１〜特許文献５は、押圧による密着が開示されている。
特許文献１は角度調整可能な押圧板を肛門部に押し当てて、パウチ開口部を矜持させる。
特許文献２は、ウエスト部のバンド上を基点とする腹あて体、尻あて体で牽引して肛門周囲にパウチ開口部を押圧させている。
特許文献３は、ウエスト部のバンド上からの4本の紐の牽引で肛門周囲にパウチ開口部を押圧させるが、密着性を改善するためにパウチ開口部にはクッション発泡剤やゴム剤で成型した押圧剤を追加している。
特許文献４は、ウエスト部のバンド上からの4本の紐によってパウチ開口部を押圧させる点は特許文献３に類似し、押圧部分には流動体を充填した部材を採用している。
特許文献５は、ウエスト部のバンド上からの紐の牽引に替えて、一帯が押圧されているゴム質の臀部サポータと肛門周囲の体表間にパウチ開口部領域を矜持させ、リング状パッキンによってパウチ開口部の密着性を改善させている。
【先行技術文献】
【特許文献】
【０００３】
【特許文献１】特開2002-315790公報
【特許文献２】実開昭48-89699公報
【特許文献３】実開昭57-126231公報
【特許文献４】特許3488715公報
【特許文献５】特開平11-349公報
【特許文献６】特開2006-167181公報
【特許文献７】実登3130483公報
【特許文献８】無効2009-400007公報
【非特許文献】
【０００４】
【非特許文献１】ホリスター社, 総合カタログ 2002年版, 60頁
【発明の概要】
【発明が解決しようとする課題】
【０００５】
病気や高齢で臥位にあっても快適に排泄したいという要望がある。
排便をコントロールしうる意識レベルであるのに、臥位で排泄せざるを得ない場合は特に切実である。
このような状況で無気力に陥ったり情動低下をきたすと、認知症を発症しやすくなるから高齢化社会の課題ともみなされる。
本発明は、病臥時等の排便において、介護者被介護者双方に多大なストレスを与える便臭の拡散を、簡便な排便パウチシステムによって低減する方法と装置を提供するものである。
【０００６】
大型のパウチをウエストで止着して陰部と臀部の全体を覆う方式は、臥位での排尿がパウチ内に拡散し体表-パウチ接合部に浸透して不快を感じる。また、清拭時に広い開口部から臭気が拡散する。清拭時の臭気拡散は、介護おむつにも共通する課題である。排尿排便のうち排便のみを対象にする小型のパウチを肛門部に装着すれば、清拭時を含めた臭気拡散防止の点で有利である。
この場合、パウチ開口部粘着面は皮膚脱着を繰り返すから、かぶれや発赤などの損傷を与える可能性があり、粘着力をむやみには強くできないし頑強性にも不満がある。従って、粘着法のみには依存できない。
類似分野に常時着用の人工肛門用排便パウチがある。人工肛門では、腹部に開口した人工肛門とパウチ開口部を、粘着と下腹部回りの押圧バンドの組み合わせで密着させる。
臥位排便用パウチは常時着用を前提としないが、対象にする肛門部の位置が異なり下腹部回りバンドの直接押圧は利用できない。また、形状も遥かに複雑で密着性、頑強性に関する特有の工夫も必要である。
【０００７】
ウエストバンドを基点とする紐によってパウチを牽引し開口部を肛門に相対させる方法は、ウエストバンドの位置が遠位で、腰骨、臀部への懸架で完全には固定できないから、排便時のイキミや姿勢によって変位する。
また、パウチ開口部を固定する牽引力を強めるとウエスト回りバンドが足方向に引っ張られて押圧位置が移動する。
前腹部を含めた一帯を押圧する臀部サポータと肛門周囲の体表間にパウチ開口部領域を矜持して、パウチ開口部を肛門に押圧させる方法は、紐に替えてゴム状の面で一帯を押圧するが、これも完全な固定基点がないから安定に固定できない。
【０００８】
また、いずれの押圧方式も、開口部の可撓性縁面への押圧だけでは肛門周囲の凸凹形状を充分には克服できない。
これを解決するために、開口部縁にクッション材等を介在し突出させることによって、密着を改善させる方策がとられる場合がある。頑強性を改善する可能性はあるが、排便に直接に接触する汚染部材が増える点に難がある。
【課題を解決するための手段】
【０００９】
肛門は腹側の会陰下端にあると同時に、背側から臀部中央に沿って伸びる臀裂の下端に位置する。
鼠径溝は浅い溝の凹部に位置するが、それ自体は体表前方に向かう凸線構造をなしている。
人工肛門の場合は腹部の凸面に造瘻して、腹部にベルト帯を回せば直接に押圧力を働かせることができる。
肛門部の位置と周辺の複雑な形状は、これとは明らかに異なるから、肛門部周辺を部位毎の形態によって、臀部の底面エリア、鼠径溝のサイドエリア、及び陰部の上面エリアの3領域に分けて考案した。
【００１０】
本発明による排便は、和式差込み便器使用と同様に、肛門が架台台座から突き出す形をとり、臀部の最凸部付近を台座端に置く。最凸部は体表に指を当てれば尾てい骨に触れる位置である。
臀部間の溝（臀裂）は、会陰部に始まり後方に向かって尾てい骨付近に至る領域に存在する。
臀裂で分断されているが、この部位における臀裂の窪みは比較的浅いから、体圧荷重で臀部表面がフラットになり架台に密着する。
排便パウチの開口部縁面をこの臀部体表と架台間に挟みこむことができる程の充分な広さで確保することによって、臀部体圧の押圧を直接に利用して、底面エリアにパウチ開口部に密着するシール１を形成できる。
このシール１と肛門との間は5-10cm程度で近接しているから、仰臥位にある限り姿勢変位の影響を受けにくい。
【００１１】
サイドエリアの密着には、凹部に位置する鼠径溝を利用する。
凹部に存在はするが、鼠径溝自体、また、鼠径溝と肛門周辺の基点を結ぶ経路は凸線形状であり、牽引すると体中心部に向かう押圧力が発生する。
臀部架台の体圧荷重は、牽引の基点として利用できる。
つまり、この基点と鼠径溝の一点を結べば、会陰両サイドに密着するシール２が作成される。
基点が架台上のシール１上にあれば押圧されるが、押圧素材の牽引力に対抗するための安定な基点とするために、紐状物又は排便収納パウチ開口部縁を固定又は係止すべく架台自体に固定した基点か支点を設けることもできる。
斯くして、シール１に連結する密着のシール２が作成される。
【００１２】
上面エリアには、左右の鼠径溝間の会陰に密着するシール３を設定する。
鼠径溝上の左右の基点間を紐状物又は排便収納パウチ開口部縁で牽引すれば凸面に沿うから、シール2と同様に押圧できる。
また、体表に沿う形状の構造物で直接に押圧することもできる。
【００１３】
以上、尾てい骨部の体表を中心にした底面エリアのシール１、架台上の固定基点をベースとするサイドエリアのシール２、及び上面エリアのシール３によって、肛門周囲に限局した密閉空間が構成された。
【発明の効果】
【００１４】
臥位状態の肛門周囲に簡便で頑強な密閉シールを作成することによって、糞便臭を低減した排便システムが提供される。
【図面の簡単な説明】
【００１５】
【図１】装置全体図
【図２】肛門周辺と密着シールの位置図
【図３】臀部架台
【図４】臀部架台（続）
【図５】筒状押圧具
【図６】二点押圧具
【図７】排便収納パウチ
【図８】紐一体型排便収納パウチ
【発明を実施するための形態】
【００１６】
サイドエリアのシール２の押圧力に転じた牽引の基点が架台上のシール１内にあれば押圧され牽引に対しては摩擦力が発生するが、架台上の臀部の姿勢変化で一時的にせよ摩擦力が低下したり、基点が移動するのを防止する目的で、紐状物又は排便収納パウチ開口部縁を固定又は係止すべく架台自体に固定する基点、又は支点を設けることができる。
固定基点は、シール１上になくても良いが、牽引される押圧素材はシール１上を通る必要がある。
汚染範囲を限定する観点からは、シール２両サイド間の間隔は15cm以下が望ましい。
また、密着シールが肛門を塞がない限りはシール2両サイド間の間隔を小さくする方が有利である。
なお、押圧素材が伸縮性素材であれば、排便時のいきみ等による体位変位による密着性の変動を更に抑制できる。
【００１７】
上面エリアのシール３は、両端が鼠径溝にあれば任意の位置で良いが、排尿を別に処理する場合は、尿道口より下側に置く。
女性の陰唇間の溝は押圧すればフラットになるし、この部分のシールは糞便には接しないから、多少の陥没部は押圧によって実用的に臭気拡散を防ぐ程度のシール性を確保できる。
外陰部エリアの押圧には、筒状や2点押圧等の押圧具（図５、図６）を使う。
男性では、陰嚢と鼠径溝の交差点を利用して押圧具を略し、陰茎より頭部側の鼠径溝に沿って紐状物で牽引して密着させることもできる。
外陰部エリア押圧具に採尿装置を組み込めば、排尿排便の排泄全般を処理できる。
また、外陰部エリア押圧具に吐水装置を組み込んで密閉環境下で肛門洗浄すれば、糞便臭の拡散を更に抑制できる。
【００１８】
排便収納パウチの底部は密封せずクリップ等の抑え具でシールし、使用後に開放して糞便の洗浄操作を容易にすることもできる。
【実施例】
【００１９】
実施例１
紐状物の一端を固定するか、係合して固定基点とした臀部架台を図３（Ａ）（Ｂ）（Ｃ）及び図４（Ａ）に示す。必要に応じて牽引支点１０３を設置する。
【００２０】
実施例２
図４（Ｂ）に示す臀部架台は、牽引支点１０３を設けた装置を示す。牽引支点１０３は固定基点に置換して良い。
【００２１】
実施例３
図４（Ｃ）に固定板１０４を置いた臀部架台を示す。固定板１０４の下に紐状物又は排便収納パウチの開口部縁を挟み込む。牽引時の挟持が確実に維持されるように、固定板１０４は、溝への嵌め込みや挟み込み金具等でロックすることができる。
【００２２】
実施例４
請求項４の鼠径溝に圧接される押圧具を図５に示す。押圧具のサイズを変えるか、係蹄支点２０１を可動にして、鼠径溝幅の個人差に対応させることもできる。押圧具図５と体表の間に排便収納パウチの開口部縁を敷き込んで直接に押圧する場合は、固定基点２０２、係蹄支点２０１を略することができる。
紐状物で牽引するか、排便収納パウチの開口部縁を押圧具図５と体表の間に敷きこまない場合は、両サイドの係蹄支点２０１間を押圧具の開口部縁に沿って牽引し、体表に向かう押圧でシール３を作成する。シール３は、牽引した紐状物又は排便収納パウチ開口部縁の押圧具への密着、及び、押圧具の縁２０４の体表への密着とで構成することもできる。シール２は、架台上のシールから係蹄支点２０１に繋がる間を牽引して作成する。
図５（Ｂ）は押圧具下端に肛門部洗浄用の水噴出孔を設けた構造である。水噴出孔２０３をパウチの閉鎖空間内に位置させる。シール３は、牽引した紐状物又は排便収納パウチ開口部縁の押圧具への密着、及び、押圧具の縁２０４の体表への密着とで構成する。
【００２３】
実施例４の押圧具には排尿装置を組み込むことができる。尿の採集は自然落下や吸引が利用できる。特許文献７に示され、特許文献８に引用される真空吸引式の採尿洗浄カップは、原理的に仰臥位での排尿が可能で、容易に組み込める形状である。
【００２４】
実施例５
請求項４の鼠径溝に圧接される押圧具の別の実施例を図６に示す。圧接される押圧具のサイズを変えるか、アーム２０５自体を伸縮可能にするか、あるいは、ハンドル下部ケース２０６内のアーム支点位置を可変にする等して、左右の鼠径溝の個人差に対応する。係蹄支点２０１は固定基点であっても良い。
【００２５】
実施例６
排便収納パウチを図７に示す。臀部の下面シールを作成させるためには、臀部下辺縁部３０１は、少なくとも縁幅1センチメートル、縁長7センチメートルの長方形領域を確保できる広さを設定するが、各7センチメートル、15センチメートル以上が好ましい。このシールは必ずしもパウチ本体でなくても、パウチ開口部の被覆剤、あるいはパウチ辺縁の被覆剤であっても良い。また、エリアとしての開口部辺縁部３０２を省いてパウチ筒開口部をそのまま縁としても良い。開口部が広い図７（Ｂ）は、装置に水噴出孔を設けて肛門部の洗浄を容易にした構成である。
【００２６】
実施例７
図８（Ａ）（Ｂ）は、紐状物を一体化した構造の排便収納パウチである。
【産業上の利用可能性】
【００２７】
本発明は、臥位排泄における被介護者のQOL改善と介護者の負担軽減の効果があるから、福祉産業上の利用に資する。
【符号の説明】
【００２８】
１  シール（底面エリアシール箇所）
２  シール（サイドエリアシール箇所）
３  シール（上面エリアシール箇所）
１０  臀部架台
１０１  紐状物
１０２  架台固定基点
１０３  架台係蹄支点
１０４  固定板
２０  押圧具      
２０１  押圧具係蹄支点
２０２  押圧具固定基点
２０３  水噴出孔
２０４  体表接触面の縁
２０５  アーム
２０６  ハンドル下部ケース
３０  排便収納パウチ
３０１  臀部下辺縁部
３０２  開口部辺縁部
５００  肛門
５０２  鼠径溝
５０４  尿道口
【図１】
2019037777.tif 000003
【図２】
2019037777.tif 000004
【図３】
2019037777.tif 000005
【図４】
2019037777.tif 000006
【図５】
2019037777.tif 000007
【図６】
2019037777.tif 000008
【図７】
2019037777.tif 000009
【図８】
2019037777.tif 000010